【手続補正書】
【提出日】平成21年9月25日(2009.9.25)
【手続補正１】
【補正対象書類名】特許請求の範囲
【補正対象項目名】全文
【補正方法】変更
【補正の内容】
【特許請求の範囲】
【請求項１】
鍵操作される複数の鍵を有した鍵盤を内装した鍵盤楽器のケース体構造において、
該ケース体は第１ケース部と第２ケース部とを有し、これら複数ケース部に分かれて形成され、該複数ケース部を結合して組み立てるケース体構造であって、
前記複数ケース部のうち前記第１ケース部は前記鍵盤を保持した単一種の基本ケース部で構成され、前記第２ケース部は少なくとも下部を有するケース部であって、前記第１ケース部である基本ケース部は前記各鍵がその基端部で回動自在に支持される鍵支持部を底面部からの嵩上げによる嵩上げ部に構成し、該嵩上げ部に結合されるべき前記第２ケース部への結合保持部を形成し、該結合保持部と該結合保持部へ接続される前記第２ケース部の結合部との結合にて種々の拡張ケース体を構成するようにしたことを特徴とする鍵盤楽器のケース体構造。
【請求項２】
鍵操作される複数の鍵を有した鍵盤を内装した鍵盤楽器のケース体構造において、
該ケース体は第１ケース部と第２ケース部とにて分かれて形成され、該両ケース部を合わせ結合して組み立てるケース体構造であって、
組立時の係止手段を有するとともに、前記第１ケース部は前記各鍵がその基端部で回動自在に支持される鍵支持部を有し、該鍵支持部は底面部からの嵩上げによる嵩上げ部に設けられ、前記第２ケース部は両ケース部組合せ時に前記嵩上げ部の反対面部に嵌合する結合部を有し、前記反対面部に前記結合部を当接させて前記係止手段にて第１ケース部と第２ケース部とを結合するようにしたことを特徴とする鍵盤楽器のケース体構造。
【請求項３】
鍵操作される複数の鍵を有した鍵盤を内装した第１ケース部と、鍵盤の後部を覆う第２ケース部とにて分かれて形成され、前記両ケース部を合わせ結合して組み立てるケース体構造であって、
前記第１ケース部は前記各鍵がその基端部で回動自在に支持される鍵支持部を有し、該鍵支持部は底面部からの嵩上げによる嵩上げ部に設けられてなり、
前記第２ケース部は下部と背面部と上面部とを有し、
前記第２ケース部に前記嵩上げ部の裏面部に嵌合する結合部を設け、
両ケース部組合せ時に前記裏面部に結合部を当接させて係止手段にて第１ケース部、第２ケース部、鍵盤を固着するようにしたことを特徴とする鍵盤楽器のケース体構造。
【請求項４】
鍵操作される複数の鍵を有した鍵盤を内装した鍵盤楽器のケース体構造において、
該ケース体は前記鍵盤を有した第１ケース部と第２ケース部とに分かれて形成され、前記両ケース部を合わせ結合して組み立てるケース体構造であって、
前記第２ケース部は下部と背面部と上面部と当該３部で構成される凹部とを有し、
組立時の係止手段を有するとともに、
前記第１ケース部は前記各鍵がその基端部で回動自在に支持される鍵支持部を有し、該鍵支持部は底面部からの嵩上げによる嵩上げ部に設けられ、
前記第２ケース部は前記鍵支持部の下面部に嵌合する結合部を有し、
該両ケース部の組合せ時に、前記鍵支持部の下面部に前記結合部を当接させつつ第２ケース部を第１ケース部に対して押鍵方向に回転させて前記上面部が第１ケース部の上面に位置する位置で前記係止手段にて第１ケース、第２ケース、及び鍵盤を固着するようにしたことを特徴とする鍵盤楽器のケース体構造。
【請求項５】
鍵操作される複数の鍵を有した鍵盤を内装し、前記各鍵がその基端部で回動自在に支持される鍵支持部を有した鍵盤楽器のケース体構造において、
該ケース体は複数ケース部に分かれて形成され、該複数ケース部を結合して組み立てるケース体構造であって、
基本ケース部と他のケース部とで構成され、
前記基本ケース部は、底面部を有し該底面部に前記鍵盤を対向させて保持した単一種のケース部にて構成され、さらに前記底面部からの立ち上がりによる立ち上がり部と該立ち上がり部上部に設けた前記鍵支持部とこの下面に該鍵支持部に結合されるべき他のケース部への結合保持部とを有し、
前記他のケース部は、前記立ち上がり部に対向する対向面を有した壁部と、この壁部の上部に設けられ、前記結合保持部に接続される結合部とを備え、前記結合保持部と前記結合部とを結合することにて種々の拡張ケース体を構成するようにしてなり、
ケース体を組み立てた時、前記立ち上がり部と前記対向面とが接近して対向するようにしたことを特徴とする鍵盤楽器のケース体構造。
【請求項６】
鍵操作される複数の鍵を有した鍵盤を内装した鍵盤楽器のケース体構造において、
該ケース体は複数ケース部に分かれて形成され、該複数ケース部を結合して組み立てるケース体構造であって、
前記複数ケース部のうち１つのケース部は前記鍵盤を保持した単一種の基本ケース部で構成され、この基本ケース部は前記各鍵がその基端部で回動自在に支持される鍵支持部を底面部から斜めかつ後方への嵩上げによる嵩上げ部に構成し、該嵩上げ部の下面部に結合されるべき他のケース部への結合保持部を形成し、該結合保持部と該結合保持部へ接続される他のケース部の結合部との結合にて種々の拡張ケース体を構成するようにしたことを特徴とする鍵盤楽器のケース体構造。
【請求項７】
鍵操作される複数の鍵を有した鍵盤を内装した鍵盤楽器のケース体構造において、
該ケース体は複数ケース部に分かれて形成され、該複数ケース部を結合して組み立てるケース体構造であって、
基本ケース部と他のケース部とで構成され、
前記基本ケース部は前記鍵盤を保持した単一種のケース部にて構成され、さらに前記各鍵がその基端部で回動自在に支持される鍵支持部とこの下面に該鍵支持部に結合されるべき他のケース部への結合保持部とを有し、
前記他のケース部は、前記結合保持部に接続される結合部を下部前方に有する第１フレームと鍵盤の後部上面を覆う第２フレームとで構成され、前記結合保持部と前記結合部とを結合すること、及び前記第１フレームと第２フレームとを連結する連結手段にて連結することにて種々の拡張ケース体を構成するようにしたことを特徴とする鍵盤楽器のケース体構造。
【請求項８】
前記ケース体は樹脂で形成されてなり、前記連結手段は薄肉のヒンジ部にて前記両フレームに一体に形成されていることを特徴とする請求項７に記載の鍵盤楽器のケース体構造。
【請求項９】
鍵操作される複数の鍵を有した鍵盤を内装した鍵盤楽器のケース体構造において、
該ケース体は複数ケース部に分かれて形成され、該複数ケース部を結合して組み立てるケース体構造であって、
前記複数ケース部のうち１つのケース部は前記鍵盤を保持した単一種の基本ケース部で構成され、この基本ケース部は前記各鍵がその基端部で回動自在に支持される鍵支持部を底面部からの嵩上げによる嵩上げ部に構成するとともに、この基本ケース部は前後方向における１箇所にて設置面に支持されるよう構成し、前記嵩上げ部に結合されるべき他のケース部への結合保持部を形成し、該結合保持部と該結合保持部へ接続される他のケース部の結合部との結合にて種々の拡張ケース体を構成するようにしたことを特徴とする鍵盤楽器のケース体構造。
【請求項１０】
前記他のケース部は前記設置面に支持される脚座を有することを特徴とする請求項９に記載の鍵盤楽器のケース体構造。
【請求項１１】
前記結合部は前記鍵支持部と反対の下面に当接する当接部を有し、該当接部に前記下面への貫通孔を設けて、該貫通孔に嵌挿する結合手段にて、該当接部を前記下面と結合させるようにしたことを特徴とする請求項１乃至１０のいずれか一項に記載の鍵盤楽器のケース体構造。
【請求項１２】
鍵操作される複数の鍵を有した鍵盤を内装した鍵盤楽器のケース体構造において、該ケース体は前記鍵盤を有した第１ケース部と脚座を有した第２ケース部とにて分かれて形成され、該両ケース部を合わせ結合して組み立てるケース体構造であって、
組立時の係止手段を有するとともに、前記第１ケース部はその底面部からの嵩上げによる嵩上げ部を設け、該嵩上げ部は前記各鍵がその基端部で回動自在に支持される鍵支持部と前記嵩上げ部の後方に延設した延設部を含むものであり、前記基端部を前記鍵支持部に対して前記係止手段で固着することで前記各鍵が支持されるとともに、前記延設部に前記第２ケース部の結合部を当接させて、これらを第２の係止手段にて結合するようにし、前記延設部及び前記結合部は前記鍵支持部と前記脚座との間に設けられていることを特徴とする鍵盤楽器のケース体構造。
【手続補正２】
【補正対象書類名】明細書
【補正対象項目名】０００８
【補正方法】変更
【補正の内容】
【０００８】
請求項１の鍵盤楽器のケース体構造は、第１ケース部と第２ケース部とを有し、これら複数のケース部を結合して１つのケース体として構成するケース体構造であって、第１ケース部は鍵盤を保持した単一種の基本ケース部とし、第２ケース部は少なくとも下部を有するケース部であって、基本ケース部の底面部からの嵩上げによる嵩上げ部に鍵支持部を構成し、鍵支持部において鍵盤の各鍵をその基端部で支持する。そして、第２ケース部の結合部を、鍵支持部が構成される嵩上げ部の結合保持部にて結合することで、この基本ケース部と第２ケース部とを結合した種々の拡張ケース体を構成するようにした。
【手続補正３】
【補正対象書類名】明細書
【補正対象項目名】０００９
【補正方法】変更
【補正の内容】
【０００９】
請求項２の鍵盤楽器のケース体構造は、ケース体を第１ケース部と第２ケース部とを合わせ結合して１つのケース体として組み立てるケース体構造であって、第１ケース部の底面部からの嵩上げによる嵩上げ部に鍵支持部を設け、第２ケース部に嵩上げ部の反対面部に嵌合する結合部を設け、反対面部に結合部を当接させて係止手段にて第１ケース部と第２ケース部とを結合するようにした。
【手続補正４】
【補正対象書類名】明細書
【補正対象項目名】００１１
【補正方法】変更
【補正の内容】
【００１１】
請求項４の鍵盤楽器のケース体構造は、ケース体を鍵盤を有した第１ケース部と第２ケース部とを合わせ結合して組み立てるケース体構造であって、第２ケース部は下部と背面部と上面部と当該３部で構成される凹部を有する構成とし、第１ケース部の底面部からの嵩上げによる嵩上げ部に鍵支持部を設け、第２ケース部は鍵支持部の下面部に嵌合する結合部を有する構成とし、両ケース部の組合せ時に、第１ケース部の鍵支持部の下面部に第２ケース部の結合部を当接させつつ、第２ケース部を第１ケース部に対して押鍵方向に回転させ、上面部が第１ケース部の上面に位置する位置で係止手段にて第１ケース、第２ケース、及び鍵盤を固着するようにした。
【手続補正５】
【補正対象書類名】明細書
【補正対象項目名】００１４
【補正方法】変更
【補正の内容】
【００１４】
請求項７の鍵盤楽器のケース体構造は、複数のケース部を結合して１つのケース体として構成するケース体構造であって、基本ケース部は、鍵盤を保持した単一種のケース部にて構成するとともに、鍵支持部とこの下面に結合保持部とを有する構成とし、他のケース部は、結合保持部に接続される結合部を下部前方に有する第１フレームと鍵盤の後部上面を覆う第２フレームとで構成し、結合保持部と結合部とを連結すること、及び第１フレームと第２フレームとを連結する連結手段にて連結することにて種々の拡張ケース体を構成するようにした。
【手続補正６】
【補正対象書類名】明細書
【補正対象項目名】００１８
【補正方法】変更
【補正の内容】
【００１８】
請求項１１の鍵盤楽器のケース体構造は、請求項１乃至１０のいずれか一項において、他のケース部あるいは第２ケース部の結合部に貫通孔を設け、この貫通孔に嵌挿する結合手段にて、当接部を、基本ケース部あるいは第１ケース部の鍵支持部と反対側の下面と結合させるようにした。
請求項１２の鍵盤楽器のケース体構造は、鍵操作される複数の鍵を有した鍵盤を内装した鍵盤楽器のケース体構造において、該ケース体は前記鍵盤を有した第１ケース部と脚座を有した第２ケース部とにて分かれて形成され、該両ケース部を合わせ結合して組み立てるケース体構造であって、組立時の係止手段を有するとともに、前記第１ケース部はその底面部からの嵩上げによる嵩上げ部を設け、該嵩上げ部は前記各鍵がその基端部で回動自在に支持される鍵支持部と前記嵩上げ部の後方に延設した延設部を含むものであり、前記基端部を前記鍵支持部に対して前記係止手段で固着することで前記各鍵が支持されるとともに、前記延設部に前記第２ケース部の結合部を当接させて、これらを第２の係止手段にて結合するようにし、前記延設部及び前記結合部は前記鍵支持部と前記脚座との間に設けるようにした。
【手続補正７】
【補正対象書類名】明細書
【補正対象項目名】００２０
【補正方法】変更
【補正の内容】
【００２０】
したがって、請求項１〜１２の本発明のように、基本ケース部または第１ケース部を下ケース部とし、鍵を支持する鍵支持部を、他のケース部または第２ケース部の結合部分（または固着部分）とすることにより、複数機種（複数デザイン）への対応がきわめて容易になる。また、鍵支持部及び鍵盤の基端部は、動的な鍵盤を支持する部位であるので堅牢な構成になっており、両ケース部を堅牢に固定することができる。
【手続補正８】
【補正対象書類名】明細書
【補正対象項目名】００３１
【補正方法】変更
【補正の内容】
【００３１】
請求項１〜１２によれば、複数機種（複数デザイン）への対応がきわめて容易になるとともに、鍵支持部及び鍵盤の基端部において、両ケース部を堅牢に固定することができる。